(57)【特許請求の範囲】
【請求項１】
遊技領域内に配設された始動部品への入球により取得された始動情報に基づいて第１当否判定を実行する当否判定手段と、
前記第１当否判定の結果と複数の遊技状態に基づいて参照される複数の変動パターンテーブルより抽出された変動種別に基づいて変動表示されるとともに、停止表示の態様によって前記第１当否判定の結果を報知する演出図柄を表示する図柄変動手段と、
演出図柄の変動表示中に、前記始動部品への入球により新たに取得された始動情報に基づいて前記第１当否判定と異なる第２当否判定を実行し、当該第２当否判定の結果、及び、複数の遊技状態に基づいて変動パターンテーブルを参照して変動種別を抽出する先読み手段と、
前記先読み手段によって抽出された変動種別が、前記第１当否判定の結果が外れである場合よりも当りである場合に選択され易い特定の種別であって、かつ、前記先読み手段によって前記特定の種別であると判定された始動情報に基づいて前記第１当否判定が実行されるよりも前に前記図柄変動手段によって変動する演出図柄の変動種別が、前記第１当否判定の結果が当りである場合よりも外れである場合に選択され易い変動種別である場合、当該変動における停止表示の態様を、前記演出図柄と異なり、当該変動停止後の変動表示が第１当否判定の結果が外れである場合よりも当りである場合に選択され易い特定の種別に基づくものとなることを示唆する報知図柄を含む態様に変更する停止図柄変更手段とを備えるパチンコ機。
【請求項２】
遊技領域内に配設された始動部品への入球により取得された始動情報に基づいて第１当否判定を実行する当否判定手段と、
前記第１当否判定の結果と複数の遊技状態に基づいて参照される複数の変動パターンテーブルより抽出された変動種別に基づいて変動表示されるとともに、停止表示の態様によって前記第１当否判定の結果を報知する演出図柄を表示する図柄変動手段と、
演出図柄の変動表示中に、前記始動部品への入球により新たに取得された始動情報に基づいて前記第１当否判定と異なる第２当否判定を実行し、当該第２当否判定の結果、及び、複数の遊技状態に基づいて変動パターンテーブルを参照して変動種別を抽出する先読み手段と、
前記先読み手段によって抽出された変動種別が、前記第１当否判定の結果が外れである場合よりも当りである場合に選択され易い特定の種別であって、かつ、図柄変動手段によって変動表示中の演出図柄の変動種別が、前記第１当否判定の結果が当りである場合よりも外れである場合に選択され易い変動種別である場合、当該変動表示中の演出図柄の停止表示の態様を、前記演出図柄と異なり、当該変動停止後の変動表示が第１当否判定の結果が外れである場合よりも当りである場合に選択され易い特定の種別に基づくものとなることを示唆する報知図柄を含む態様に変更する停止図柄変更手段とを備えるパチンコ機。
【請求項３】
前記停止図柄変更手段は、前記先読み手段によって抽出された変動種別が、前記第１当否判定の結果が外れである場合よりも当りである場合に選択され易く、演出図柄をリーチ状態とする特定の種別であって、かつ、図柄変動手段によって変動表示中の演出図柄の変動種別が、前記第１当否判定の結果が当りである場合よりも外れである場合に選択され易く、当該演出図柄をリーチ状態とする特定の種別である場合、当該変動表示中の演出図柄の停止表示の態様を、前記演出図柄と異なり、当該変動停止後の変動表示が前記第１当否判定の結果が外れである場合よりも当りである場合に選択され易く、演出図柄をリーチ状態とする特定の種別に基づくものとなることを示唆する報知図柄を含む態様に変更することを特徴とする請求項２記載のパチンコ機。  
【発明の詳細な説明】
【技術分野】
【０００１】
本発明は遊技機に関し、特に先読み処理に基づいて変動表示中の演出図柄の停止態様を変更可能なパチンコ機に関する。
【背景技術】
【０００２】
遊技機の一例としてのパチンコ機においては、始動入賞口への入球に基づいて実行される抽選の結果（当り，外れ）を遊技者に対して報知する際に、液晶表示装置等の表示装置上に表示される演出図柄をいわゆるリーチ状態とした後に、多様なリーチ演出を展開させることにより大当りへの期待感を煽る構成のパチンコ機が知られており、遊技者はリーチ後に展開するリーチ演出の種類により大当りへの期待度を推し量ることができる。
また、近年におけるパチンコ機では、いわゆる先読み機能を搭載したパチンコ機の提案がなされており、先読みの結果によって演出図柄の停止態様をチャンス目と呼ばれる停止態様で停止表示させることにより、当該変動よりも後の変動（保留球変動）において大当りとなる可能性があることを示唆する構成のパチンコ機も知られている。
しかしながら、従来のパチンコ機にあっては、チャンス目をリーチ演出の種類とは無関係に停止させる構成であるため、チャンス目が出現した場合に遊技者が得る大当りへの期待感が乏しく、チャンス目の存在を十分に活かした演出を実行できているとは言い難い。
また、従来のパチンコ機においては、複数のリーチ演出が存在し、各リーチ演出の出現頻度に差を設けることによって、各リーチ演出が展開された場合の大当への期待度に差を設けることが知られているが、期待度の低いリーチ演出が展開された場合、遊技者は当該演出が展開された時点で大当りへの期待感を失うことが多く、次変動以降の大当りに期待するいわゆる消化待ちの状況に陥り易くなる。
【先行技術文献】
【特許文献】
【０００３】
【特許文献１】特開２００４−１９４７８７号公報
【発明の概要】
【発明が解決しようとする課題】
【０００４】
本発明は、上記課題を解決するため、大当りへの期待度が低く、消化待ちとなり易いリーチ演出を先読み機能を用いて効果的に演出し、さらに当該リーチ演出の結果によって、次変動以降の大当りに対する期待感を効果的に煽り、遊技の趣向性を向上させることが可能なパチンコ機を提供する。
【課題を解決するための手段】
【０００５】
前記課題を解決すべく本発明に係るパチンコ機の構成として、遊技領域内に配設された始動部品への入球により取得された始動情報に基づいて第１当否判定を実行する当否判定手段と、第１当否判定の結果と複数の遊技状態に基づいて参照される複数の変動パターンテーブルより抽出された変動種別に基づいて変動表示されるとともに、停止表示の態様によって第１当否判定の結果を報知する演出図柄を表示する図柄変動手段と、演出図柄の変動表示中に、始動部品への入球により新たに取得された始動情報に基づいて第１当否判定と異なる第２当否判定を実行し、当該第２当否判定の結果、及び、複数の遊技状態に基づいて変動パターンテーブルを参照して変動種別を抽出する先読み手段と、先読み手段によって抽出された変動種別が、第１当否判定の結果が外れである場合よりも当りである場合に選択され易い特定の種別であって、かつ、先読み手段によって特定の種別であると判定された始動情報に基づいて第１当否判定が実行されるよりも前に図柄変動手段によって変動する演出図柄の変動種別が、第１当否判定の結果が当りである場合よりも外れである場合に選択され易い変動種別である場合、当該変動における停止表示の態様を、前記演出図柄と異なり、当該変動停止後の変動表示が第１当否判定の結果が外れである場合よりも当りである場合に選択され易い特定の種別に基づくものとなることを示唆する報知図柄を含む態様に変更する停止図柄変更手段とを備える構成とした。
本構成によれば、停止図柄変更手段が、先読み手段によって抽出された変動種別が第１当否判定の結果が外れである場合よりも当りである場合に選択され易い特定の種別であって、かつ、先読み手段によって特定の種別であると判定された始動情報に基づいて第１当否判定が実行されるよりも前に図柄変動手段によって変動される演出図柄の変動種別が第１当否判定の結果が当りである場合よりも外れである場合に選択され易い変動種別である場合、当該変動における停止表示の態様を、前記演出図柄と異なり、当該変動停止後の変動表示が第１当否判定の結果が外れである場合よりも当りである場合に選択され易い特定の種別に基づくものとなることを示唆する報知図柄を含む態様に変更することから、第１当否判定が実行されるよりも前に変動停止後の停止態様によって、次変動以降の大当りへの期待感を効果的に演出することができる。
【０００６】
また、パチンコ機の他の構成として、停止図柄変更手段が、先読み手段によって抽出された変動種別が、第１当否判定の結果が外れである場合よりも当りである場合に選択され易い特定の種別であって、かつ、図柄変動手段によって変動表示中の演出図柄の変動種別が、第１当否判定の結果が当りである場合よりも外れである場合に選択され易い変動種別である場合、当該変動表示中の演出図柄の停止表示の態様を、演出図柄と異なり、当該変動停止後の変動表示が、第１当否判定の結果が外れである場合よりも当りである場合に選択され易い特定の種別に基づくものとなることを示唆する報知図柄を含む態様に変更する構成とした。
本構成によれば、停止図柄変更手段が、先読み手段によって抽出された変動種別が、第１当否判定の結果が外れである場合よりも当りである場合に選択され易い特定の種別であって、かつ、図柄変動手段によって変動表示中の演出図柄の変動種別が、第１当否判定の結果が当りである場合よりも外れである場合に選択され易い変動種別である場合、当該変動表示中の演出図柄の停止表示の態様を演出図柄と異なり、当該変動停止後の変動表示が、第１当否判定の結果が外れである場合よりも当りである場合に選択され易い特定の種別に基づくものとなることを示唆する報知図柄を含む態様に変更することから、変動停止後の停止態様によって、次変動以降の大当りへの期待感を効果的に演出することができる。
【０００７】
また、パチンコ機の他の構成として、停止図柄変更手段が、先読み手段によって抽出された変動種別が、第１当否判定の結果が外れである場合よりも当りである場合に選択され易く、演出図柄をリーチ状態とする特定の種別であって、かつ、図柄変動手段によって変動表示中の演出図柄の変動種別が、第１当否判定の結果が当りである場合よりも外れである場合に選択され易く、当該演出図柄をリーチ状態とする特定の種別である場合、当該変動表示中の演出図柄の停止表示の態様を、演出図柄と異なり、当該変動停止後の変動表示が、第１当否判定の結果が外れである場合よりも当りである場合に選択され易く、演出図柄をリーチ状態とする特定の種別に基づくものとなることを示唆する報知図柄を含む態様に変更する構成とした。
本構成によれば、変動表示中の演出図柄の停止表示の態様を演出図柄と異なる報知図柄を含む態様に変更する条件が、先読み手段によって抽出された変動種別が第１当否判定の結果が外れである場合よりも当りである場合に選択され易く、演出図柄をリーチ状態とする特定の種別であること、かつ、変動中の演出図柄の変動種別が第１当否判定の結果が当りである場合よりも外れである場合に選択され易く、当該演出図柄をリーチ状態とする特定の種別であることとなり、現在変動中の演出図柄の変動種別が大当りへの期待度が低い種別であっても、当該変動における停止表示の態様が演出図柄と異なる報知図柄を含むものである場合、次変動以降の大当りへの期待感を効果的に演出することができる。また、変動種別が大当り期待度の低い種別であっても、最終的に報知図柄が停止する可能性を孕むため、前述の消化待ちとなる機会を効果的に低減することができ、リーチ状態が展開されている間に遊技の趣向が失われることを防止できる。
【発明の効果】
【０００８】
上記各構成に係るパチンコ機によれば、次変動以降に対する期待感を効果的に煽り、遊技の趣向性を向上させることができる。
【図面の簡単な説明】
【０００９】
【図１】本発明に係るパチンコ機の外観を示す全体図である。
【図２】本発明に係るパチンコ機のブロック図である。
【図３】本発明に係るパチンコ機のメイン処理を示すフローチャートである。
【図４】主制御装置による始動入賞処理を示すフローチャートである。
【図５】主制御装置による特図当否判定処理を示すフローチャートである。
【図６】主制御装置による図柄変動処理を示すフローチャートである。
【図７】変動パターンテーブルを示す模式図である。
【図８】図柄指定テーブルを示す模式図である。
【図９】演出制御装置による表示制御処理を示すフローチャートである。
【図１０】演出制御装置による表示制御コマンド送信処理を示すフローチャートである。
【図１１】始動情報記憶領域を示す模式図である。
【図１２】主制御装置による先読み処理を示すフローチャートである。
【図１３】演出制御装置による図柄停止コマンド変更処理を示すフローチャートである。
【図１４】主要な制御コマンドの内容を示す模式図である。
【図１５】演出図柄表示装置を示す拡大図である。
【図１６】演出図柄表示装置を示す拡大図である。
【図１７】他の実施形態に係る先読み処理を示すフローチャート及び模式図である。
【図１８】他の実施形態に係る表示制御コマンド送信処理を示すフローチャートである。
【００１０】
以下、発明の実施形態を通じて本発明を詳説するが、以下の実施形態は特許請求の範囲に係る発明を限定するものではなく、また実施形態の中で説明される特徴の組み合わせの全てが発明の解決手段に必須であるとは限らず、選択的に採用される構成を含むものである。
【００１１】
図１は、遊技機の一例としてのパチンコ機１の全体正面図である。同図を用いてパチンコ機１の概略について説明する。パチンコ機１は、遊技球（以下、単に球という）が打ち出される遊技領域１１Ａを有し、内枠１２に対して着脱自在に取り付けられる遊技盤１１と、内枠１２を前後方向に開閉自在に軸支する外枠１３とを備える。遊技盤１１の前方には、内枠１２の前後方向に開閉自在に軸支される窓１２Ａが設けられ、遊技盤１１の前方が閉鎖される。
パチンコ機１の下部には発射ハンドル１０３Ｄが回動自在に取着され、発射ハンドル１０３Ｄが遊技者の操作によって例えば時計周りに回動操作されることにより、内部に装着された打ち出し機構１０３Ｂが駆動する。打ち出し機構１０３Ｂが駆動すると、上皿構造体１６内に貯留された球が内ガイドレール１７及び外ガイドレール１８の間の発射領域を通って上方に打ち出され、遊技領域１１Ａ内に進入する。
【００１２】
内枠１２の周囲には、スピーカ１９やＬＥＤ等からなる複数の装飾ランプ２０が配設される。スピーカ１９及び装飾ランプ２０は、後述の主制御装置１００から送信される制御コマンドにより遊技の進行に沿って制御され、遊技中の演出効果を高める。
【００１３】
次に、遊技盤１１に配設される遊技部品について説明する。遊技盤１１上には、図外の複数の誘導釘や風車が植設されており、遊技領域１１Ａ内に進入した球は、これら誘導釘，風車によって誘導されながら下方に流下する。
【００１４】
遊技盤１１の略中央には、演出図柄表示装置３０が配設される。演出図柄表示装置３０は、前後方向に貫通する図外の取付け孔を介して遊技盤１１にはめ込まれる。演出図柄表示装置３０は、例えば液晶画面を有し、当該液晶画面における複数の領域Ｚ１〜Ｚ３に例えば１〜９までの数字やキャラクターからなる演出図柄Ｌ，Ｃ，Ｒを上下方向に変動表示（スクロール表示）させるとともに、特図当否判定の結果を遊技者に視認可能な態様で停止表示させる。また、演出図柄表示装置３０は、上記各演出図柄を変動表示させるとともに、いわゆるリーチ成立前に展開されるリーチ予告演出や、リーチ後に展開されるリーチ演出等、全ての演出図柄が停止表示されるまでの間、多用な演出を表現することにより遊技を盛り上げる。
演出図柄表示装置３０によって如何なる演出が表現されるかは、主制御装置１００が生成及び送信する制御コマンドに基づいて規定される。なお、演出図柄表示装置３０としては、ＣＲＴ，ドラム式等の構成であってもよい。
【００１５】
演出図柄表示装置３０における液晶画面の下方には、複数の保留球表示ランプ２１Ａが配設される。保留球表示ランプ２１Ａは、主制御装置１００の制御により、第一始動入賞部品２２又は第二始動入賞部品２３に球が入賞するごとに点灯し、本例では、最大４つまで保留球数（抽選残数）を遊技者に対して報知する。なお、本例では保留球数を４つまでとしたが、これに限られるものではなく、例えば最大８個まで保留可能な構成としてもよい。
【００１６】
演出図柄表示装置３０の左方には、普通図柄始動部品２５が配設される。普通図柄始動部品２５は、上下方向に開口する門型の部品であって、内部には普通図柄始動スイッチ２５Ａが設けられる（図２参照）。普通図柄始動部品２５を球が通過すると、普通図柄始動スイッチ２５Ａにより検出され、検出信号が主制御装置１００に出力される。主制御装置１００は、普通図柄始動スイッチ２５Ａからの検出信号に基づき、普図乱数取得処理、普図当否判定処理及び普図変動表示処理を実行する。
【００１７】
演出図柄表示装置３０よりも下方には、複数の始動入賞部品２２，２３が配設される。上方に位置する第一始動入賞部品２２は、上方開放の受け入れ口より球を受け入れる固定の始動口として形成される。  
一方、第一始動入賞部品２２の直下に配設される第二始動入賞部品２３は、左右に設けられた一対の開閉翼２４の開閉動作により、入賞の難易を変更可能な可変始動口である。開閉翼２４は、遊技盤１１の裏側に装着された始動口ソレノイド３５の駆動により開閉し、当該始動口ソレノイド３５は主制御装置１００により制御される。開閉翼２４の開放動作は、普通図柄が当りを示す態様で停止したことに基づいて実行され、球は開放動作中において第二始動入賞部品２３内に入賞し易くなる。一方、開閉翼２４が閉鎖中においては、第二始動入賞部品２３に球が入賞することは困難（入賞不可能な場合も含む）となる。
【００１８】
第一始動入賞部品２２及び第二始動入賞部品２３の内部には、それぞれ第一始動検出スイッチ２２Ａ，第二始動検出スイッチ２３Ａが設けられる。そして、球が第一始動入賞部品２２又は第二始動入賞部品２３へ入賞すると、第一始動検出スイッチ２２Ａ又は第二始動検出スイッチ２３Ａが球の入賞を検出し、当該検出信号が主制御装置１００に出力される。
【００１９】
主制御装置１００は、第一始動検出スイッチ２２Ａ又は第二始動検出スイッチ２３Ａからの検出信号に基づいて、乱数取得処理、特別図柄（特図）当否判定処理、特別図柄（特図）変動表示処理などの所謂大当りに関する処理を実行するとともに、払出制御装置６０に払出コマンドを送信し、賞球払出装置により賞球を３個払出させる賞球払出処理などを実行する。
【００２０】
第二始動入賞部品２３の直下には、大入賞部品２６が配設される。大入賞部品２６は、遊技盤１１の前方に開口する矩形の大入賞口と、当該大入賞口を開放又は閉鎖状態とする開閉板２７と、遊技盤１１の裏側に装着され、開閉板２７を開閉動作させる大入賞ソレノイド２８、及び、大入賞口内に取り込まれた球を検出する大入賞検出スイッチ２６Ａとから構成される。開閉板２７は、後述の大当り遊技の実行に基づいて主制御装置１００の制御により駆動する大入賞ソレノイド２８の動作によって開放する板体である。主制御装置１００は、大入賞検出スイッチ２６Ａからの検出信号に基づき、払出制御処理を実行し、例えば賞球を１５個払出す。
【００２１】
第二始動入賞部品２３の両側には、複数の一般入賞部品２９が配設される。一般入賞部品２９は、前記第一始動入賞部品２２と同様に、上方開放の受け入れ口より球を受け入れる固定の始動口として形成される。一般入賞部品２９の内部には、一般入賞検出スイッチ２９Ａが設けられ、球が一般入賞部品２９へ入賞すると、一般入賞検出スイッチ２９Ａが球の入賞を検出し、当該検出信号が主制御装置１００に出力される。主制御装置１００は、一般入賞検出スイッチ２９Ａからの検出信号に基づき前述と同様の賞球払出処理を実行する。
【００２２】
遊技盤１１上に配設された左方の装飾部品１１Ｂ上には、上から順に特別図柄変動表示器３１（以下、特図変動表示器という）、普通図柄変動表示器３２（以下、普図変動表示器という）、特別図柄保留表示器３３（以下、特図保留表示器という）及び普通図柄保留表示器３４（以下、普図保留表示器という）が設けられる。
【００２３】
特図変動表示器３１は、例えば並列に配置された７セグメントランプにより構成され、主制御装置１００により実行される特図変動表示処理により、例えば１〜９までの数字を一定期間高速で変動表示させた後、特図当否判定処理の結果を示す態様で停止表示する。例えば、特図当否判定処理の結果が「当り」である場合には、並列に配置された７セグメントランプに同一の数字（７・７，８・８等）を停止させ、「外れ」である場合は、（−・−）等の記号や、互いに異なる数字を停止させる。
また、特別図柄の変動表示の開始時期及び停止時期は、前述した演出図柄の変動表示の開始時期及び停止時期と略同期しており、遊技者は、特別図柄及び演出図柄の停止態様によって一回の遊技において実行される特図当否判定処理の結果を認識することができる。
【００２４】
普図変動表示器３２は、例えば並列に配置された丸とバツの記号を表示するランプにより構成される。普図変動表示器３２は、普通図柄始動スイッチ２５Ａから出力される検出信号に基づいて主制御装置１００によって実行される普図変動表示処理により、例えば、丸とバツの記号を表示するランプを一定期間高速で点滅させて変動表示させた後、普図当否判定処理の結果を示す態様で停止表示させる。普図当否判定処理は、普通図柄始動スイッチ２５Ａの入力を契機として取得される乱数に基づいて実行される処理であって、当該取得した乱数と、主制御装置１００のＲＯＭ内に普図当否判定テーブルに記載された乱数とを比較することにより、取得した乱数に対応する結果（「当り」，「外れ」）を抽出する。
ここで、例えば、普図当否判定処理の結果が当りである場合には、丸の記号を表示するランプのみが点灯し、外れである場合には、バツの記号を表示するランプのみが点灯する。よって遊技者は、ランプの点灯態様によって普図当否判定処理の結果を認識することができる。
【００２５】
特図保留表示器３３は、４つの円形状ランプが最大保留数に対応するように並列に配置された形態であって、第一始動検出スイッチ２２Ａ又は第二始動検出スイッチ２３Ａからの検出信号に基づいて主制御装置１００がランプを順次点灯させ、特図当否判定処理及び特図変動表示処理を実行する度に、消灯するように制御する。
普図保留表示器３４は、前述の特図保留表示器３３と同様に４つの円形状ランプが最大保留数に対応するように並列に配置された形態であって、普通図柄始動スイッチ２５Ａからの検出信号に基づいて主制御装置１００がランプを順次点灯させ、普図当否判定処理及び普図変動表示処理を実行する度に、消灯するように制御する。
【００２６】
以下、図２に示す制御ブロックを参照して、パチンコ機１の構成について説明する。
同図において、主制御装置１００は、入力ポート１００Ａを介して入力される各検出スイッチからの信号に基づいて遊技全般を司る装置であって、特に第一始動検出スイッチ２２Ａ又は第二始動検出スイッチ２３Ａからの検出信号に基づいて複数の乱数を取得するとともに、当該取得した乱数に基づいて後述する各種の制御コマンドを生成し、演出制御装置２００に送信する。主制御装置１００は、演算手段としてのＣＰＵと、遊技に必要な制御プログラムやコマンド抽出用のテーブルデータ、各種の制御コマンド等が格納されたＲＯＭ、各種の乱数カウンター、抽選結果や遊技状態を管理するフラグ、或いは、乱数記憶領域等の遊技に必要な情報を一時的に格納するＲＡＭと、入出力ポート１００Ａ；１００Ｂを備えるいわゆるコンピュータである。
【００２７】
また、主制御装置１００のＲＡＭは、後述の特図当否判定に必要な始動情報を第一始動検出スイッチ２２Ａ又は第二始動検出スイッチ２３Ａによる検出ごとに順次記憶する始動情報記憶領域を有する。始動情報とは、第一始動検出スイッチ２２Ａ又は第二始動検出スイッチ２３Ａによる検出信号の入力に基づいて取得される複数の乱数（特図当否判定乱数，図柄指定乱数，変動パターン決定用乱数）に関する情報である。
図１１の模式図に示すように、始動情報記憶領域は、Ａ１〜Ａ４の４つの領域に区分されており、球が第一始動入賞部品２２又は第二始動入賞部品２３に入賞するたびに始動情報を所定の上限値（本例では４つ）まで順次記憶する。また、主制御装置１００は、後述の処理によりＲＡＭに蓄積された始動情報を記憶された順序で消化し、始動情報に含まれる特図当否判定乱数により当否判定を実行する。また、図示は省略するが主制御装置１００には、電源供給用の電源回路や停電時におけるバックアップ回路等が接続されている。
【００２８】
主制御装置１００には、入力ポート１００Ａを介して第一始動検出スイッチ２２Ａ、第二始動検出スイッチ２３Ａ、普通図柄始動スイッチ２５Ａ、大入賞検出スイッチ２６Ａ及び一般入賞検出スイッチ２９Ａが接続され、各スイッチからの検出信号が主制御装置１００に入力される。
また、主制御装置１００には、出力ポート１００Ｂを介して演出制御装置２００、特図変動表示器３１、普図変動表示器３２、特図保留表示器３３、普図保留表示器３４、始動口ソレノイド３５、大入賞ソレノイド２８及び払出制御装置６０が接続され、各機器は、遊技の進行に合わせて送信，出力される制御コマンドや制御信号により制御される。
【００２９】
演出制御装置２００は、主制御装置１００に対する副制御装置であって、主制御装置１００と同様に主制御装置１００から受信した制御コマンドに応じて動作する演算手段としてのＣＰＵや、演算動作に必要な制御プログラムやテーブルデータ等が格納されたＲＯＭ、及び、内部送信用の制御コマンドや演算処理に必要なデータ等を一時的に記憶するＲＡＭを備える。演出制御装置２００は、主制御装置１００に対して一方向に通信可能に接続されており、主制御装置１００から送信された制御コマンドに応じた内部コマンドを各制御部２００Ａ乃至２００Ｃに送信し、演出図柄表示装置３０、スピーカ１９、及び、装飾ランプ２０を動作させる。
【００３０】
演出制御装置２００の表示制御部２００Ａは、演出図柄表示装置３０を直接的に制御する手段であって、図外のＣＰＵ，ＲＯＭ，ＲＡＭ，画像処理用ＶＤＰ及び入出力ポートを備え、演出制御装置２００から送信されてくる内部コマンドとしての表示制御コマンドの内容に応じて演出図柄表示装置３０上に演出図柄Ｌ，Ｃ，Ｒを変動表示させるとともに、停止表示までの間に多様な演出を展開させる。
ここで、内部送信される表示制御コマンドの種類としては、図柄変動開始コマンド，リーチ生成コマンド，リーチ演出コマンド，変動停止コマンド等が存在し、所定のタイミングでこれらのコマンドが演出制御装置２００から送信される。
表示制御部２００ＡのＲＯＭには、演出図柄表示装置３０の表示制御を行うための制御プログラムや各種の画像データや動画データ等が格納されており、ＣＰＵが表示制御コマンド、及び、制御プログラムに従って各表示制御コマンドに応じた画像データをＲＯＭから読出し、該画像データをＶＤＰに出力する。画像処理用ＶＤＰは、ＣＰＵからの出力処理に従って出力ポートを介して演出図柄表示装置３０に画像データを出力する。
【００３１】
演出制御装置２００の音声制御部２００Ｂ及びランプ制御部２００Ｃは、それぞれスピーカ１９及び装飾ランプ２０を直接制御する手段であって、演出制御装置２００から送信される内部コマンドとしての音声制御コマンド，ランプ制御コマンドに従ってスピーカ１９及び装飾ランプ２０をそれぞれ制御する。
【００３２】
特図変動表示器３１、普図変動表示器３２、特図保留表示器３３、普図保留表示器３４、始動口ソレノイド３５、大入賞ソレノイド２８及び払出制御装置６０は、主制御装置１００によって直接制御され遊技の進行に合わせて動作する。以下、上記構成からなる主制御装置１００及び演出制御装置２００の主要な制御処理とともに、本実施形態に係るパチンコ機１の特徴について説明する。
【００３３】
主制御装置１００のＣＰＵは、所定のクロック信号（例えば、４［ｍｓ］）により動作し、ＲＯＭに格納された遊技プログラムに従って遊技制御処理を実行する。図３は、主制御装置１００が実行する変動表示に関する遊技制御処理のメインフローである。
主制御装置１００は、まず、Ｓ１００において特図当否判定乱数、図柄指定乱数、変動パターン決定用乱数の更新処理を実行し、Ｓ１０１に移行する。特図当否判定乱数は、主に図５に示す特図当否判定処理（「当り」，「外れ」判定処理）において用いられる乱数であって、逐次カウントアップする０〜６５５３５までの整数値を取り得るループ式カウンター（乱数カウンター１）から、第一始動検出スイッチ２２Ａ又は第二始動検出スイッチ２３Ａからの検出信号の入力を契機として取得される。
【００３４】
図柄指定乱数、及び、変動パターン決定用乱数は、主に図６に示す図柄変動処理に用いられる乱数であって、逐次カウントアップする０〜９９までの整数値を取り得るループ式カウンター（乱数カウンター２，３）からそれぞれ、第一始動検出スイッチ２２Ａ又は第二始動検出スイッチ２３Ａからの検出信号の入力を契機として取得される。各乱数の更新処理においては、乱数カウンター１乃至３の値が一巡するたびに初期値を変化させ、特に「当り」に相当する特図当否判定乱数を容易に推測不可能としている。
【００３５】
主制御装置１００は、Ｓ１０１においてスイッチ入力処理を実行し、Ｓ１０２に移行する。
スイッチ入力処理は、入力ポート１００Ａを介して出力される第一始動検出スイッチ２２Ａ，第二始動検出スイッチ２３Ａ，普通図柄始動スイッチ２５Ａ，一般入賞検出スイッチ２９Ａからの検出信号を入力する処理である。
【００３６】
主制御装置１００は、Ｓ１０２において始動入賞処理を実行し、Ｓ１０３に移行する。図４は、始動入賞処理を示すサブフローチャートである。
同図に示すとおり、始動入賞処理は、まずＳ２００において前述のスイッチ入力処理に基づいて第一始動検出スイッチ２２Ａ又は第二始動検出スイッチ２３Ａからの検出信号が入力したかを判定し、ＹＥＳの場合Ｓ２０１に移行し、ＮＯの場合メイン処理に復帰する。主制御装置１００は、Ｓ２０１においてＲＡＭの始動情報格納領域に記憶された始動情報が上限の４未満であるかを判定し、ＹＥＳの場合Ｓ２０２に移行し、ＮＯの場合処理を終了する。
【００３７】
主制御装置１００は、Ｓ２０２において始動情報を取得し、Ｓ２０３に移行する。始動情報の取得とは、前述した特図当否判定乱数，図柄指定乱数，変動パターン決定用乱数を各乱数カウンター（１乃至３）から抽出する処理であって、各乱数は、ＲＡＭ内の始動情報記憶領域に一群の始動情報として格納される。主制御装置１００は、Ｓ２０３において始動情報記憶数を更新して、Ｓ２０４に移行する。当該処理は、前述の処理により得られた始動情報を始動情報格納領域のうち最も上位の領域に格納する処理であって、始動情報の数を「１」加算する処理である。また、当該処理とともに、特図保留表示器３３の表示、及び、保留球表示ランプ２１Ａを１増加させる処理を実行し、未だ特図当否判定がなされていない保留球が増加したことを遊技者に報知する。
【００３８】
主制御装置１００は、Ｓ２０４において取得した始動情報に基づいて先読み処理を実行し、処理を終了する。先読み処理の詳細は後述するが、当該処理の実行により演出制御装置２００側では、後述のポート出力処理がなされる前に演出図柄変動パターンを認識することが可能となる。
【００３９】
図３に戻り、主制御装置１００はＳ１０３において特図当否判定処理を実行し、Ｓ１０４に移行する。特図当否判定処理は、「当り」か「外れ」かのいずれかを判定する処理であって、当該処理により「当り」として判定された場合には、いわゆる「大当り」として後述の大当り遊技が実行される。
【００４０】
図５は、特図当否判定処理を示すサブフローチャートである。
同図に示すとおり、特図当否判定処理は、まずＳ３００において前述のＳ２０２の処理により始動情報が始動情報格納領域に記憶されているかを判定し、ＹＥＳの場合Ｓ３０１に移行し、ＮＯの場合メイン処理を終了する。主制御装置１００は、Ｓ３０１において現在の遊技状態が大当り遊技中であるかを判定し、ＹＥＳの場合処理を終了し、ＮＯの場合Ｓ３０２に移行する。つまり、大当り遊技中においては、特図当否判定処理は実行されない。主制御装置１００は、Ｓ３０２において特別図柄が変動表示中であるかを判定し、ＹＥＳの場合処理を終了し、ＮＯの場合Ｓ３０３に移行する。つまり、特別図柄変動中においては、特図当否判定処理は、実行されない。
【００４１】
Ｓ３０１，３０２の判定により、大当り遊技中、かつ、特別図柄変動中でない場合、主制御装置１００は、Ｓ３０３において確変フラグがＯＮであるかを判定し、ＹＥＳの場合Ｓ３０５に移行し、ＮＯの場合Ｓ３０４に移行する。確変フラグとは、現在の遊技状態が高確率遊技（確率変動遊技）である場合にＯＮ動作するフラグであって、ＲＡＭ内の遊技状態記憶領域内に格納される。また、確変フラグのＯＮ，ＯＦＦの切り替え処理は、「当り」の種別に基づいて後述の大当り遊技処理中に実行される。また、高確率遊技とは、高確率遊技ではない低確率遊技の場合と比べて、特図当否判定の結果が「当り」となる確率が、例えば１０倍程度高く設定された状態であって、大当り遊技を獲得し易い遊技状態である。
【００４２】
主制御装置１００は、Ｓ３０４において遊技状態が低確率状態（確変フラグＯＦＦ）であることに基づいてＲＯＭから低確率用当否判定テーブルを読出し、Ｓ３０６に移行する。主制御装置１００は、Ｓ３０５において遊技状態が高確率状態（確変フラグＯＮ）であることに基づいてＲＯＭから高確率用当否判定テーブルを読出し、Ｓ３０６に移行する。
【００４３】
主制御装置１００は、Ｓ３０６において、始動情報格納領域内に最先に格納された始動情報の中から特図当否判定乱数を読み出し、読み出した該乱数をＳ３０４又はＳ３０５において読出した当否判定テーブルと照合し、当否判定の結果（当り又は外れ）を判定（抽選）し、処理を終了する。
【００４４】
当否判定テーブルには、Ｓ２０２において取得した特図当否判定乱数と、これに対応する当否結果が個別に規定されており、１つの乱数に対して１つの当否結果が抽出され、判定の結果（「当り」又は「外れ」、及び、「当り」の場合その種別（低確率当り又は高確率当り）がＲＡＭ内の当否結果記憶領域に格納される。低確率当りとは、大当り遊技後の遊技状態が低確率遊技となる「当り」であり、高確率当りとは、大当り遊技後の遊技状態が高確率遊技となる「当り」である。即ち、本実施形態においては、「当り」の種別によって大当り遊技後の遊技状態を移行させるいわゆる確変機能を搭載した構成である。
【００４５】
遊技状態が高確率遊技である場合において読み出される高確率用当否判定テーブルは、遊技状態が低確率遊技である場合において読み出される低確率用当否判定テーブルと比較して、当否判定の結果が「当り」となる確率が約１０倍程度高く設定されており、高確率遊技中において高確率用当否判定テーブルが読み出されることにより、遊技者は大当りを獲得し易くなる。
なお、本実施形態に係るパチンコ機１は、例えば低確率遊技である場合に、「当り」となる確率が約３６０分の１に設定され、高確率遊技、いわゆる確変遊技である場合に「当り」となる確率が約３６分の１程度に設定されている。
以上、Ｓ３００からＳ３０６までの処理が特図当否判定処理であり、この場合の主制御装置１００は、特図当否判定手段として機能する。また、当該特図当否判定処理は、後述の先読み処理の際に実行されるＳ７０４の特図当否判定処理に対して第１の判定処理である。
【００４６】
図３に戻り主制御装置１００は、Ｓ１０４において図柄変動処理を実行し、Ｓ１０５に移行する。
図柄変動処理は、特図当否判定の結果をその停止表示の態様によって報知する特別図柄、及び、演出図柄の変動表示の態様を決定する処理である。
具体的には、前述の特図当否判定の結果と、変動パターン決定用乱数、及び、図柄指定乱数に基づいて、演出制御装置２００に送信する各種の制御コマンドを生成し、当該制御コマンドをＲＡＭのコマンド格納領域に格納する処理である。
ここで、図１４（ａ）に示すように主制御装置１００によって生成される制御コマンドには、変動開始コマンド、変動パターンコマンド，図柄指定コマンド等が存在し、ＲＡＭのコマンド格納領域に一時的に格納された各制御コマンドは、後述のＳ１０６のポート出力処理により演出制御装置２００に対して送信される。
各制御コマンドを受信した演出制御装置２００は、各制御コマンドに含まれる各種の情報に基づいて、内部コマンドとしての表示制御コマンド（図柄変動開始コマンド，リーチ生成コマンド，リーチ演出コマンド，変動停止コマンド）を所定のタイミングにより表示制御部２００Ａに対して送信する。
以下、図６に基づいて主制御装置１００により実行される図柄変動処理について説明する。
【００４７】
主制御装置１００は、Ｓ４００において前述の当否判定の結果が「当り」であるかを判定し、ＹＥＳの場合Ｓ４０１に移行し、ＮＯの場合Ｓ４０２に移行する。主制御装置１００は、Ｓ４０１において当否判定の結果が「当り」であることに基づいて当り用変動パターンテーブルをＲＯＭから読出し、Ｓ４０３に移行する。一方、主制御装置１００は、Ｓ４０２において当否判定の結果が「外れ」であることに基づいて外れ用変動パターンテーブルをＲＯＭから読出し、Ｓ４０３に移行する。
【００４８】
図７は、複数存在する変動パターンテーブルの一例を示す模式図である。
各変動パターンテーブルには、前述の処理により取得された１つの変動パターン決定用乱数に対応する特別図柄変動時間情報、及び、演出図柄変動種別情報が規定され、図１４（ａ）に示すように、各情報はそれぞれ変動開始コマンド及び変動パターンコマンドに含まれる情報となる。
【００４９】
図７（ａ）に示す変動パターンテーブルは、現在の遊技状態が低確率状態（確変フラグＯＦＦ）であって、時短フラグがＯＦＦである場合に参照されるテーブルである。
ここで、時短フラグとは、現在の遊技状態が時間短縮遊技（時短遊技）である場合にＯＮ動作するフラグであって、ＲＡＭ内の遊技状態記憶領域内に格納される。時短フラグのＯＮ，ＯＦＦの切り替え処理は、確変フラグと同様に後述の大当り遊技処理中に実行される。
本実施例に係るパチンコ機１において、時短遊技は、例えば全ての大当り遊技終了後、特別図柄が１００回変動するまで継続するように設定され、当該期間中においては、特別図柄及び演出図柄の平均変動時間は時短フラグがＯＦＦである場合と比較して相対的に短縮され、遊技者は短い期間の間に効率良く特図当否判定処理を受けることが可能となる。
なお、時短遊技の有無は、これに限られるものではなく、大当りに対して一定の割合で時短遊技を付与することや、他の特定の条件を満たしたことにより時短遊技を付与すること等としてもよい。
【００５０】
変動パターンテーブルには、特図当否判定の結果が「当り」の時に参照される当り用のテーブルと、「外れ」の時に参照される外れ用のテーブルが存在し、特図当否判定の結果、及び、現在の遊技状態に応じたテーブルが参照される。変動パターンテーブルには、０から９９までの変動パターン決定用乱数それぞれの乱数について、１つの特別図柄変動時間情報と演出図柄変動種別情報が割り当てられている。
特別図柄変動時間とは、特図変動表示器３１上に表示される特別図柄が変動表示を開始してから停止表示されるまでの時間である。また、特別図柄変動時間は、演出図柄表示装置３０上に表示される演出図柄の変動時間をも規定するものであり、略同時期に変動表示を開始した特別図柄及び演出図柄は、略同時期に停止表示されることとなる。つまり、特別図柄と演出図柄の変動開始及び変動停止とは同期している。
【００５１】
演出図柄変動種別とは、演出図柄が変動表示を開始してから停止表示されるまでの間に展開される演出の種類を示し、演出図柄変動種別に応じた演出が演出図柄表示装置３０上で展開されることにより、大当り獲得への期待感を高めるものである。
図７（ａ）に示すように、例えば、外れ用の変動パターンテーブルに規定された「通常変動１（外れ）」は、演出図柄表示装置３０の液晶画面における複数の領域Ｚ１〜Ｚ３のうち、領域Ｚ１，Ｚ３においてスクロール表示される演出図柄Ｌ，Ｒが液晶画面上に設定された大当りラインＬ１において、互いに異なる図柄で停止表示された後に、後述するスーパーリーチ演出に発展することなく残る領域Ｚ２においてスクロール表示される演出図柄Ｃを停止表示させる演出である（図１５（ａ）参照）。つまり、遊技者は、最終的に大当りラインＬ１に互いに異なる演出図柄Ｌ，Ｃ，Ｒが停止表示されることにより、特図当否判定の結果が「外れ」であったことを認識可能となる。
【００５２】
また、図７（ａ）に示す「通常変動２（外れ）」は、演出図柄表示装置３０の液晶画面における複数の領域Ｚ１〜Ｚ３のうち、領域Ｚ１，Ｚ３においてスクロール表示される演出図柄Ｌ，Ｒを液晶画面に設定された大当りラインＬ１において、同一図柄で先行して停止表示させ（リーチ状態を形成）、後述するスーパーリーチ演出に発展することなく、残る領域Ｚ２においてスクロール表示される演出図柄Ｃがリーチ（テンパイ）を形成した図柄と異なる図柄で停止表示させる演出である（図１５（ｂ）参照）。
つまり、「通常変動１」と「通常変動２」とでは、演出図柄Ｌ，Ｒがリーチ状態を形成するか否かが異なり、どちらもスーパーリーチに発展しない点で共通する。
【００５３】
また、当り用，外れ用の変動パターンテーブルに規定された「リーチ演出１（当り，外れ）乃至リーチ演出５（当り，外れ）」は、領域Ｚ１，Ｚ３においてスクロール表示される演出図柄Ｌ，Ｒをいわゆるリーチ状態とする点は、「通常変動２（外れ）」と同様であるが、リーチ状態形成後、大当りへの期待感を高めるいわゆるスーパーリーチと呼ばれる種々の演出が展開される点で異なる。
スーパーリーチの態様としては、種々の態様が存在するが、例えば特定のキャラクターを登場させて、該キャラクターが演出図柄Ｃを引張る等することにより、演出図柄Ｃ（１〜９までの数字、及びキャラクター）を低速でスクロールさせ、リーチ状態を形成する演出図柄Ｌ，Ｒと同一の図柄を徐々に大当りラインＬ１に近づくように変動表示させること等が挙げられる。
そして、最終的に当り用のリーチ演出であるか、或いは、外れ用のリーチ演出であるかによって、演出図柄Ｃがリーチ状態を形成する演出図柄Ｌ，Ｒと同一の図柄で停止表示されるか、又は、演出図柄Ｌ，Ｒと異なる図柄で停止表示されることとなる。なお、最後に停止する演出図柄Ｃの停止処理については後述する。
本例においては、リーチ演出１（外れ）及びリーチ演出２（外れ）が選択された場合、演出制御装置２００が、表示制御部２００Ａを介して演出図柄Ｃを最終的にリーチ状態を形成する演出図柄Ｌ，Ｒに対して例えば±５コマの範囲で停止表示させるように制御し、リーチ演出３（外れ）乃至リーチ演出５（外れ）が選択された場合、演出図柄Ｃを最終的にリーチ状態を形成する演出図柄Ｌ，Ｒに対して±１コマの範囲で停止表示させるように制御している。
このようにリーチ演出（演出図柄変動種別情報）の種類によって、最終的に停止表示される演出図柄Ｃの範囲に一定のバラツキ、或いは、収束性を設けることにより、遊技者に対して感覚的に各リーチ演出に対する期待感の差を演出することが可能となる。
【００５４】
また、当り用の変動パターンテーブルと外れ用の変動パターンテーブルとを比較すると、当り用変動パターンテーブルが参照された場合において、演出図柄変動種別がリーチ演出３乃至リーチ演出５の何れかとなる確率は概ね８０％であり、演出図柄変動種別がリーチ演出１又はリーチ演出２となる確率は、概ね２０％となるように設定されている。
一方で、外れ用変動パターンテーブルが参照された場合において、演出図柄変動種別がリーチ演出３乃至リーチ演出５の何れかとなる確率は概ね１０％であり、演出図柄変動種別がリーチ演出１又はリーチ演出２となる確率は概ね２０％、その他の変動となる確率は概ね７０％に設定されている。
以上の振分から明らかなように、リーチ演出３乃至リーチ演出５は、特図当否判定の結果が「当り」であるときに抽出され易い演出であり、逆に特図当否判定の結果が「外れ」であるときには抽出され難い演出である。  
よって、事前に特図当否判定の結果を知り得ない遊技者は、特図当否判定の結果が内部的に「外れ」の場合であっても、演出図柄表示装置３０上でリーチ演出３乃至リーチ演出５に対応する演出が展開された時点で、リーチ演出１又はリーチ演出２に対応する演出が展開されたときよりも大当りへの期待感を高く持つことが可能である。一方で、遊技者はリーチ演出１又はリーチ演出２に対応する演出が展開された場合には、リーチ状態ではあっても大当りへの期待感を持ち難くなる。
しかしながら本実施形態に係るパチンコ機１においては、本来、大当りへの期待感を高く持ち難いリーチ演出、換言すれば、特図当否判定の結果が「外れ」である場合に相対的に選択され易い演出（本例ではリーチ演出１又は２）であっても、後述の変動停止コマンド変更処理の実行により、常に大当りへの期待感を持続させるようにしている。
【００５５】
図７（ｂ）は、例えば現在の遊技状態が高確率状態（確変フラグＯＮ）であって、時短フラグがＯＮである場合に参照されるテーブルである。テーブルの内容についての詳細な説明は、前述のテーブルと同様であるので省略するが、外れ用のテーブルには、特別図柄変動時間情報が３秒である通常変動３（外れ）が規定され、かつ、概ね８０％が当該変動時間となるように振り分けられている。
よって、時短遊技中において当否判定の結果が外れである場合には、特別図柄変動時間情報が３秒となる割合が極めて高く、図７（ｂ）に示す時短フラグがＯＦＦである非時短遊技の場合と比べ、特別図柄変動時間の平均が短くなる。よって、遊技者は、時短遊技中において短い期間で多くの当否判定を受けることが可能となる。
なお、本例においては、変動テーブルパターンの一例として、上記２組のテーブルを示したが、変動パターンテーブルの数はこれに限られるものではなく、予め想定される遊技状態の組み合わせ（確変フラグＯＮ，ＯＦＦ及び時短フラグＯＮ，ＯＦＦ等）に合わせて複数の組の変動パターンテーブルを格納しておけばよい。
また、各変動パターンテーブルに規定される特別図柄変動時間情報，演出図柄変動種別情報の数、或いは、抽出される割合についても同様であり、遊技状態に合わせて適宜設定することが可能である。また、図示においては、説明の簡易化のため変動パターン決定用乱数を連続する数字として表記したが、ランダムであっても良いことは言うまでもない。以上の処理により生成された変動開始コマンド、及び、変動パターンコマンドはＲＡＭ内のコマンド格納領域に一時的に格納される。
【００５６】
図６に戻り主制御装置１００は、引き続きＳ４０４において図柄指定テーブルを読出し、Ｓ４０５において読出した図柄指定テーブルと予め取得された図柄指定乱数から演出図柄Ｌ，Ｃ，Ｒと対応する停止図柄を決定し、演出図柄Ｌ，Ｃ，Ｒそれぞれの停止図柄情報を含む図柄指定コマンドをＲＡＭのコマンド格納領域内に一時的に格納する。
【００５７】
図８は、図柄指定テーブルを示す模式図である。図柄指定テーブルは、変動パターンテーブルと同様にＲＯＭ内に格納されたデータであって、特図当否判定の結果が「当り」である場合に参照される当り用の図柄指定テーブルと、「外れ」である場合に参照される外れ用の図柄指定テーブルとが存在する。
【００５８】
図８（ａ）に示すように、当り用の図柄指定テーブルは、さらに「当り」の種別（低確率当り，高確率当り）に応じたテーブルに細分化されている。例えば、「当り」の種別が大当り遊技後の遊技状態を高確率遊技へと移行させる「高確率当り」である場合には、一つの図柄指定乱数に対して、演出図柄Ｌ，Ｃ，Ｒとそれぞれ対応する高確率当りであることを示す奇数又は特定のキャラクター（Ａとする）からなるＬ，Ｃ，Ｒ停止図柄情報が規定された図柄指定テーブルが読み出される。
一方、「当り」の種別が遊技状態を低確率遊技へと移行させる「低確率当り」である場合には、一つの図柄指定乱数に対して、演出図柄Ｌ，Ｃ，Ｒとそれぞれ対応する低確率当りであることを示す偶数又は特定のキャラクター（Ｂとする）からなるＬ，Ｃ，Ｒ停止図柄情報が規定された図柄指定テーブルが読み出される。なお、図８（ａ）に示す図柄指定テーブルは、共に「当り用」であることから演出図柄Ｌ，Ｃ，Ｒに対応するＬ，Ｃ，Ｒ停止図柄情報が全て同一の数字又はキャラクターとなるように設定されている。
【００５９】
一方、図８（ｂ）に示す外れ用の図柄指定テーブルは、前述の処理により決定される演出図柄変動種別情報に応じたテーブルに細分化されている。
非リーチ外れ用の図柄指定テーブルは、演出用図柄変動種別情報が「通常変動１（外れ）」に決定された場合に参照されるテーブルであって、一つの図柄指定乱数に対して演出図柄Ｌ，Ｃ，Ｒに対応するＬ，Ｃ，Ｒ停止図柄情報が個別に規定されている。また、当該図柄指定テーブルは、リーチ状態を形成しない「通常変動１（外れ）」の場合に参照されるテーブルであるから、演出図柄Ｌ，Ｒと対応するＬ，Ｒ停止図柄情報が異なる図柄に規定されている。
【００６０】
ノーマルリーチ，スーパーリーチ１及びスーパーリーチ２用の図柄指定テーブルは、演出用図柄変動種別情報が「通常変動２（外れ）」，「リーチ演出１（外れ）」及び「リーチ演出２（外れ）」に決定された場合に参照されるテーブルであって、一つの図柄指定乱数に対して演出図柄Ｌ，Ｒに対応するＬ，Ｒ停止図柄情報と、演出図柄Ｃに対応する停止図柄情報が外れコマ数として規定される。
ここで、外れコマ数とは、リーチを形成する演出図柄Ｌ，Ｒに対する演出図柄Ｃのズレ量であって、例えば演出図柄Ｌ，Ｒの停止図柄情報が９であって、かつ演出図柄Ｃの外れコマ数が−１の場合、最終的に停止表示される演出図柄Ｃは８となる。なお、演出図柄Ｌ，Ｃ，Ｒは、１〜９までの数字及びＡ，Ｂで表されるキャラクターが順に配列されているものとする。
つまり、ノーマルリーチ，スーパーリーチ１及びスーパーリーチ２用の図柄指定テーブルが参照された場合には、演出図柄Ｌ，Ｒに対応するＬ，Ｒ停止図柄情報と、演出図柄Ｃに対応する停止図柄情報（Ｃ外れコマ数）とを含む図柄指定コマンドが生成、格納される。
【００６１】
スーパーリーチ３，スーパーリーチ４及びスーパーリーチ５用の図柄指定テーブルは、演出用図柄変動パターンが「リーチ演出３（外れ）」，「リーチ演出４（外れ）」及び「リーチ演出５（外れ）」に決定された場合に参照されるテーブルであって、前記同様に一つの図柄指定乱数に対して演出図柄Ｌ，Ｒに対応するＬ，Ｒ停止図柄情報と、演出図柄Ｃに対応する停止図柄情報（外れコマ数）が規定される。
つまり、スーパーリーチ３，スーパーリーチ４及びスーパーリーチ５用の図柄指定テーブルが参照された場合も前記同様に、演出図柄Ｌ，Ｒに対応するＬ，Ｒ停止図柄情報と、演出図柄Ｃに対応する停止図柄情報（外れコマ数）を含む図柄指定コマンドが生成、格納される。
当該図柄指定テーブルに規定されたＣ外れコマ数は、全て±１に規定されており、スーパーリーチ３乃至スーパーリーチ５が展開された場合には、演出図柄Ｃがリーチ状態を形成した演出図柄Ｌ，Ｒに対して１コマ前又は１コマ進んだ位置で停止することとなり、遊技者に対して大当り獲得への期待感を多く与えることが可能となる。
なお、停止図柄の決定は上記処理に限られるものではなく、演出図柄Ｌ，Ｃ，Ｒの停止図柄情報を個別に割り当てられた乱数とテーブルを用いてランダムに決定することや、その他周知の方法により決定することができる。また、Ｃ外れコマ数を用いることなく演出図柄Ｃに対応する停止図柄を直接指定するようにしてもよい。
以上、Ｓ４００からＳ４０５までの処理が図柄変動処理であり、この場合の主制御装置１００は図柄変動手段として機能する。
【００６２】
図３に戻り主制御装置１００は、Ｓ１０５において払出制御処理を実行し、Ｓ１０６に移行する。払出制御処理は、前述のスイッチ入力処理よって検出した検出信号に基づいて、各検出スイッチに対応する払出コマンドを生成する処理である。主制御装置１００は、例えば第一始動検出スイッチ２２Ａ又は第二始動検出スイッチ２３Ａからの入力に基づいて球を３個払出す旨の払出コマンドを生成しＲＡＭに格納する。また、主制御装置１００は、例えば一般入賞検出スイッチ２９Ａからの入力に基づいて球を５個払出す旨の払出コマンドを生成しＲＡＭに格納する。ＲＡＭに格納された払出コマンドは、後述のポート出力処理により、払出制御装置６０に対して送信される。
【００６３】
主制御装置１００は、Ｓ１０６においてポート出力処理を実行する。当該処理は、上述の処理において生成され、ＲＡＭ内に一時的に格納された各種のコマンドや駆動信号を出力することにより、払出制御装置６０、演出制御装置２００、及び、主制御装置１００により直接制御される各種の表示器やソレノイドを動作させるための処理である。当該処理が実行されることにより、当否判定の結果を示す特別図柄及び演出図柄がそれぞれ特図変動表示器３１及び演出図柄表示装置３０上で変動表示を開始し、特図変動時間経過後に当否判定の結果を示す態様で停止表示される。以下、特別図柄及び演出図柄の変動開始及び停止について説明する。
【００６４】
主制御装置１００は、ポート出力処理において、特図変動表示器３１に対して駆動開始信号を出力するとともに、特別図柄変動表示時間情報に基づいて時間を計測する図外の変動時間タイマーを作動させ、特別図柄変動表示時間が経過するまで特別図柄表示器３１上の特別図柄を変動表示させる。変動表示時間経過後に停止する特別図柄の停止態様は、特図当否判定の結果に基づいて予め設定されており、例えば特図当否判定の結果が高確率当りである場合には、特図変動表示器３１に「７・７」，「３・３」等の同一の奇数数字を並列に表示させる。また、特図当否判定の結果が低確率当りである場合には、特図変動表示器３１に「２・２」，「４・４」等の同一の偶数数字を並列に表示させる。これに対して、特図当否判定の結果が「外れ」である場合には、特図変動表示器３１に「１・５」，「３・９」等の異なる数字を並列に表示させる。特別図柄の停止表示は、主制御装置１００の変動タイマーにより計測される変動表示時間が経過したことに基づいて、変動停止信号を特図変動表示器３１に出力することにより行われる。
主制御装置１００は、ポート出力処理において演出制御装置２００に対して、前述の処理によって生成された変動開始コマンド、変動パターンコマンド、図柄指定コマンドを送信し、演出制御装置２００に対して演出図柄を変動表示させるための表示制御を実行させる。
【００６５】
図９は、演出制御装置２００により実行される演出図柄表示制御処理のメインフローを示す図である。
演出制御装置２００は、Ｓ５００において主制御装置１００により送信される変動開始コマンド、変動パターンコマンド、及び、図柄指定コマンドを受信し、Ｓ５０１において各コマンドに含まれる情報に基づいて各種の表示制御コマンドを生成する処理を実行する。生成された表示制御コマンドは、Ｓ５０２において表示制御部２００Ａに対して内部送信され、表示制御部２００Ａは、受信した各種の表示制御コマンドに基づいて演出図柄を所定の態様により変動させた後に停止表示させる。
ここで、図１４（ｂ）に示すように、演出制御装置２００により生成される内部コマンドとしての表示制御コマンドには、変動開始コマンドに含まれる変動開始指令に基づいて演出図柄の変動表示を開始させる図柄変動開始コマンド、図柄指定コマンドに含まれる演出図柄Ｌ，Ｒの停止図柄情報に基づいて生成されるリーチ生成コマンド、変動パターンコマンドに含まれる演出図柄変動種別情報に基づいて生成されるリーチ演出コマンド、及び、図柄指定コマンドに含まれる演出図柄Ｃの停止図柄情報に基づいて生成される変動停止コマンドが存在し、各コマンドは、演出制御装置２００のＲＡＭ内のコマンド格納領域内に一時的に記憶される。
【００６６】
図１０は、上述の表示制御コマンド送信処理を示すサブチャートである。
同図に示すように演出制御装置２００は、Ｓ６００において図柄変動開始コマンドを送信し、Ｓ６０１に移行する。図柄変動開始コマンドが表示制御部２００Ａに内部送信されると、表示制御部２００Ａは、演出図柄表示装置３０上において演出図柄Ｌ，Ｃ，Ｒが上下方向に高速スクロールするように変動表示を開始させる。
【００６７】
演出制御装置２００は、Ｓ６０１において変更指示コマンドを受信したかを判定し、ＹＥＳの場合、図１３に示す変動停止コマンド変更処理に移行し、ＮＯの場合、引き続きＳ６０２に移行してリーチ生成コマンドを制御表示部２００Ａに送信し、Ｓ６０３に移行する。変動停止コマンド変更処理については後述する。
【００６８】
リーチ生成コマンドが内部送信されると、表示制御部２００Ａは、リーチ生成コマンドに含まれる演出図柄Ｌ，Ｒの指定図柄に基づいて、スクロール中の演出図柄Ｌ，Ｒを演出図柄Ｃに先行して対応する図柄で停止表示させる。このとき演出図柄Ｌ，Ｒの指定図柄が同一数字又は同一キャラクターである場合、リーチ状態が形成され、異なる場合、非リーチ状態が形成される。また、リーチ生成コマンドの送信タイミングは、特図変動時間に対応して予め規定されており、例えば特別図柄変動時間が１２秒であれば８秒経過時に送信し、６０秒であれば１２秒、１００秒であれば１５秒経過時に送信するというように、演出制御装置２００が変動開始コマンドに含まれる特別図柄変動時間に基づいて決定する。なお、リーチ生成コマンドの送信タイミングを特別図柄変動時間に関わらず、変動表示の開始から一律のタイミングとしてもよいし、別途乱数による抽選を実行することにより決定してもよい。
【００６９】
演出制御装置２００は、Ｓ６０３において、リーチ演出コマンドが生成されているかを判定し、生成されている場合リーチ演出コマンドを送信してＳ６０４に移行し、されていない場合送信することなくＳ６０４に移行する。ここで、リーチ演出コマンドが生成されない場合とは、演出図柄変動種別情報が「通常変動１」又は「通常変動２」である場合であって、リーチ状態形成後にスーパーリーチとならない場合、或いは、リーチ状態を形成しない場合である。
【００７０】
リーチ演出コマンドが内部送信されると、表示制御部２００Ａは、リーチ演出コマンドに含まれる指定変動種別に基づいて、対応する動画や画像データをＲＯＭから読み出して所定のリーチ演出を展開し、演出図柄Ｃが停止表示されるまでの間の遊技を盛り上げる。
【００７１】
演出制御装置２００は、Ｓ６０４において、変動開始コマンドに含まれる特図変動時間が経過したかを判定し、ＹＥＳの場合、Ｓ６０５において変動停止コマンドを内部送信し、ＮＯの場合処理をループする。
変動停止コマンドが内部送信されると、表示制御部２００Ａは、変動停止コマンドに含まれる演出図柄Ｃの指定図柄に基づいて、変動表示中の演出図柄Ｃを対応する図柄で停止表示させる。これにより、変動表示された演出図柄Ｌ，Ｃ，Ｒは全て停止表示された状態となり、停止態様によって遊技者は、特図当否判定の結果が「当り」又は「外れ」であったことを認識可能となる。
【００７２】
次に、図４のＳ２０４において実行される先読み処理と、図９に示すＳ６０１の判定、及び、図１３に示す変動停止コマンド変更処理の関係について説明する。
Ｓ２０４の先読み処理は、Ｓ３０６の特図当否判定と、Ｓ４０３の演出図柄変動種別の決定をメイン処理におけるＳ１０３及びＳ１０４に先んじて実行する処理である。換言すれば、本来、特別図柄及び演出図柄変動中においては実行されない図５に示す特図当否判定処理及び図６に示す図柄変動処理を、始動情報の取得を条件として特別図柄及び演出図柄が変動中に実行する処理であり、処理結果によって演出図柄Ｃの停止図柄を変更する停止図柄変更コマンドをＳ１０６のポート出力処理よりも前に演出制御装置２００側に送信する処理である。以下、先読み処理について説明する。
【００７３】
図１２は、Ｓ２０４の先読み処理を示すサブチャートである。
主制御装置１００は、Ｓ７００において始動情報がＲＡＭの始動情報格納領域に記憶されているかを判定し、ＹＥＳの場合Ｓ７０１に移行し、ＮＯの場合先読み処理を終了する。
主制御装置１００は、Ｓ７０１において確変フラグがＯＮであるかを判定し、ＮＯの場合Ｓ７０２において低確率用当否判定テーブルを読み出し、ＹＥＳの場合Ｓ７０３において高確率用当否判定テーブルを読み出す。主制御装置１００は、Ｓ７０４において始動情報の中から特図当否判定乱数を読み出し、読み出した乱数をＳ７０２又はＳ７０３で読出した当否判定テーブルと照合し、当否判定の結果（当り又は外れ）を判定し、Ｓ７０５に移行する。当該処理は、前述のＳ３０６において実行される特図当否判定に対して第２の当否判定である。
【００７４】
主制御装置１００は、Ｓ７０５において当否判定の結果が当りであるかを判定し、ＹＥＳの場合Ｓ７０６において当り用変動パターンテーブルを読み出し、ＮＯの場合Ｓ７０７において外れ用変動パターンテーブルを読み出す。主制御装置１００は、Ｓ７０８において始動情報の中から変動パターン決定用乱数を読み出し、読み出した乱数をＳ７０６又はＳ７０７で読み出した変動パターンテーブルと照合し、演出図柄変動種別情報を抽出して処理を終了する。抽出された演出図柄変動種別は、Ａ１〜Ａ４の４つの領域を有する始動情報記憶領域に順に格納された始動情報と紐付けして記憶される。
【００７５】
主制御装置１００は、Ｓ７０９において、Ｓ７０８において抽出，記憶された演出図柄変動種別が変更可能変動種別であるかを判定する。
ここで、本実施形態における変更可能変動種別は、リーチ演出３（当り，外れ）乃至リーチ演出５（当り，外れ）として予め規定されており、Ｓ７０６又はＳ７０７で読み出した変動パターンテーブルからリーチ演出３乃至リーチ演出５の何れかが抽出，記憶された場合に判定がＹＥＳとなり、それ以外の演出図柄変動種別が抽出，記憶された場合に判定がＮＯとなる。
【００７６】
Ｓ７０９において判定がＹＥＳとなると主制御装置１００は、Ｓ７１０において変動停止コマンドの変更指示コマンドを演出制御装置２００に送信し、先読み処理を終了する。
つまり、変更指示コマンドは、先読み処理の結果、決定された演出図柄変動種別が所定の種別（リーチ演出３乃至リーチ演出５）である場合にのみ送信されるコマンドであって、演出制御装置２００は、当該コマンドの受信により、所定条件の下で図１３に示す変動停止コマンド変更処理を実行し、現在変動表示中の演出図柄Ｃの停止図柄を予め設定された特定の図柄Ｚに変更する。
以上、Ｓ７００乃至Ｓ７１０の処理が先読み処理であって、この場合の主制御装置１００は、先読み手段として機能する。
【００７７】
次に、図１０に示すＳ６０１の判定について説明する。
演出制御装置２００は、Ｓ６００において図柄変動開始コマンドを送信した後、Ｓ６０１において主制御装置１００側から送信される変更指示コマンドを受信したかを判定し、ＹＥＳの場合、図１３に示す変動停止コマンド変更処理に移行する。
【００７８】
図１３は、変動停止コマンド変更処理を示すフローチャートである。
演出制御装置２００は、Ｓ８００において、変更可能時間Ｔ以前であるかを判定し、ＹＥＳの場合Ｓ８０１に移行し、ＮＯの場合は処理を終了する。
ここで、変更可能時間Ｔは、変動開始コマンドに含まれる特別図柄変動時間情報に基づいて設定される。より詳細には、演出図柄Ｌ，Ｃ，Ｒの変動開始から演出図柄Ｌ，Ｒが先行停止するまでの時間（リーチ生成コマンドの送信時期）よりも僅かに短くなるように設定される。
つまり、演出図柄Ｌ，Ｒがリーチ状態を形成するまでに変更指示コマンドを受信した場合、判定がＹＥＳとなり、演出図柄Ｌ，Ｒがリーチ状態を形成した後に変更指示コマンドを受信した場合、判定がＮＯとなる。なお、変更可能時間Ｔを演出図柄Ｌ，Ｒが先行停止する時間と同一時間としてもよいが、処理のタイムラグを考慮し、演出図柄Ｌ，Ｒが先行停止するまでの時間よりも僅かに短く設定するのが望ましい。
【００７９】
演出制御装置２００は、Ｓ８０１においてＳ６００の処理において、既に変動表示を開始している演出図柄の演出図柄変動種別が変更対象変動種別であるかを判定する。具体的には、ＲＡＭに格納されたリーチ演出コマンドに含まれる演出図柄変動指定の種別が予め規定された種別であるかを判定する。
本実施例においては、変更対象変動種別は、特図当否判定が「当り」である場合に選択され難く、「外れ」である場合に選択され易い「リーチ演出１（外れ）」及び「リーチ演出２（外れ）」として予め設定しており、演出図柄変動指定の種別が「リーチ演出１（外れ）」及び「リーチ演出２（外れ）」である場合、判定がＹＥＳとなり、Ｓ８０２に移行し、これ以外の種別である場合、判定がＮＯとなり、停止コマンド変更を行うことなく処理を終了する。
【００８０】
演出制御装置２００は、Ｓ８０２において、ＲＡＭ内のコマンド格納領域に格納された変動停止コマンドに含まれる演出図柄Ｃの指定図柄を特定の指定図柄（報知図柄）Ｚに書き換え、変動停止コマンドの内容を変更する処理を終了する。
【００８１】
図１６（ａ），（ｂ）に示すように、変動停止コマンド変更処理により書き換えられる特定の指定図柄Ｚは、演出図柄の一種ではあるが、通常表示される１〜９までの数字やキャラクター（Ａ，Ｂ）と異なる図柄として設定される。より望ましくは、遊技者に対して以後の変動により大当りを獲得し易いリーチ演出がなされることを示唆するような文字や図形等の図柄とするのがよい。つまり、既に設定された指定図柄が特定の指定図柄Ｚに書き換えられることにより、図６のＳ４０５において抽出されたＣ外れコマ数情報に基づいて規定された変更前の指定図柄（図示の例では「３」）が、特定の図柄（Ｚ）に変換されることとなる。なお、特定の指定図柄Ｚの停止図柄情報は、演出制御装置２００のＲＯＭ内にデータとして格納されている。
そして、当該図柄停止コマンド変更処理後にＳ６０５において送信される図柄停止コマンドは、演出図柄Ｃを上記特定の図柄Ｚとして指定することになるため、新たに変更された変動停止コマンドが内部送信されると、表示制御部２００Ａは、該変動停止コマンドに含まれる指定図柄に基づいて、上記特定の図柄を演出図柄Ｃとして停止表示させる。
【００８２】
即ち、変動停止コマンド変更処理が実行されることにより、リーチ状態となるものの、遊技者が大当りへの期待感を抱き難く、いわゆる消化待ちの状態となり易い「リーチ演出１」及び「リーチ演出２」が展開された場合であっても、最後に停止する演出図柄Ｃが特定の図柄Ｚとなる可能性があるため、上記リーチ演出中に、遊技に対する興味を失ってしまうことを防止できる。
また、最後に停止する演出図柄Ｃが特定の図柄Ｚである場合、後の演出図柄の変動において大当りの期待が高い「リーチ演出３」乃至「リーチ演出５」が展開される可能性を察知できるため、大当りへの期待感を抱き難い「リーチ演出１」及び「リーチ演出２」が展開されたことに伴う失望感、及び、遊技意欲の減退を効果的に低減できるとともに、特定の図柄Ｚが停止したことによる後の変動表示への期待感を効果的に煽ることが可能となる。
以上、Ｓ８００乃至Ｓ８０２の処理が変動停止コマンド変更処理であり、この場合の演出制御装置２００は、停止図柄変更手段として機能する。
【００８３】
なお、特定の指定図柄Ｚの書き換えについては、上述の例に限られるものではなく、例えば特定の指定図柄Ｚを±１コマ等の外れコマ数情報により規定してもよい。例えば、特定の指定図柄の外れコマ数を±１コマとして規定した場合、最終的に停止表示される演出図柄Ｃが特定の指定図柄Ｚとは異なる図柄となるものの、最終的に大当りラインＬ１付近に指定図柄Ｚが停止することから、「リーチ演出１（外れ）」及び「リーチ演出２（外れ）」に対応するスーパーリーチ１，２が展開された場合において、最終的に指定図柄Ｚが停止するかも知れないという期待感を効果的に煽ることが可能となる。
また、特定の指定図柄の外れコマ数を例えば＋５コマとして規定した場合にあっては、スーパーリーチ１，２が展開された場合において、スクロール表示中の演出図柄Ｃに指定図柄Ｚが含まれることとなるため、最終的に指定図柄Ｚが停止するかも知れないという期待感を効果的に煽ることが可能となる。
また、上述の実施形態においては、変更対象変動態種別を予めリーチ演出１又はリーチ演出２として変動停止コマンド変更処理を実行したが、これに限られるものではなく、演出図柄変動種別がリーチ演出３乃至リーチ演出５である場合についても変動停止コマンド変更処理を実行してもよい。さらに、変更可能変動種別の存在によらず、ランダムにスクロール表示される演出図柄Ｃに特定の指定図柄Ｚを含めるような変動態様としてもよい。
【００８４】
次に、大当り遊技について概説する。主制御装置１００によって実行される特図当否判定処理の結果が「当り」であって、主制御装置１００により実行される図柄変動処理、及び、演出制御装置２００により実行される表示制御コマンド送信処理の結果、特別図柄及び演出図柄が「当り」を示す態様で停止表示された場合、主制御装置１００による大当り遊技処理が実行される。
ここで、大当り遊技とは、主制御装置１００が、大当りフラグをＯＮにセットした後に出力ポート１００Ｂを介して大入賞ソレノイド２８を駆動し、大入賞部品２６の開閉板２７を開放する遊技である。開閉板２７の１回（１ラウンド）の開放動作は、開放開始から大入賞検出スイッチ２６Ａにより球が１０個検出されるまで、又は、開放開始から２４秒経過するまでのうち、いずれか早い条件が成立するまで継続される。そして、大当り遊技においては、当該開放動作が最大１５回（１５ラウンド）まで繰り返される。
【００８５】
また、大当り遊技中において主制御装置１００は、大入賞検出スイッチ２６Ａからの入力に基づいて出力ポート１００Ｂを介して払出制御装置６０に払出コマンドを送信し、例えば球１個の入賞につき１５個の球を遊技者に払い出す。即ち、遊技者は、当否判定の結果が「当り」（「低確率当り」又は「高確率当り」）であることに基づいて実行される大当り遊技の獲得により、極めて短時間に多くの賞球（１０×１５×１５＝２２５０個）を得ることが可能となる。
【００８６】
また、大当り遊技処理中においては、「当り」の種別に応じて、大当り遊技後の遊技状態を変更する遊技状態移行処理が実行される。具体的には、「当り」の種別が「高確率当り」である場合には、ＲＡＭ内の確変フラグをＯＮ動作させ、大当り遊技終了後の遊技状態を高確率遊技へと移行させる。一方、「当り」の種別が「低確率大当り」である場合には、ＲＡＭ内の確変フラグをＯＦＦ動作させ、大当り遊技終了後の遊技状態を低確率遊技へと移行させる。なお、高確率遊技中に「高確率当り」となった場合、或いは低確率遊技中に「低確率当り」となった場合、確変フラグは大当り遊技前と同様の状態に維持される。
【００８７】
図１７及び図１８は、他の実施形態を示すフローチャートである。
上述の実施形態においては、概略、図１２の主制御装置１００が、先読み処理の結果、未だ第１当否判定処理が実行されていない保留球（始動情報）内に、変更可能変動パターン（リーチ演出３乃至リーチ演出５）が存在する場合、変更指示コマンドを演出制御装置２００側に送信し、演出制御装置２００がＳ８０１の判定において現在変動表示中の演出図柄の変動種別が変更対象変動パターンであることに基づいて、Ｓ８０２において停止図柄情報を書き換える処理を実行するものとしたが、停止図柄情報を書き換える対象は、現在変動中の演出図柄に限られるものではない。即ち、未だ第１の当否判定処理が実行されていない保留球の変動表示についても変動停止コマンド変更処理を実行することも可能である。  
以下、図１７，図１８を用いて他の実施形態について説明するが、上述の実施形態と共通する処理については、同一符号を用いてその説明を省略し、特に異なる処理について説明する。
【００８８】
図１７（ａ）は、他の実施形態に係る先読み処理のフローチャートである。
同図において主制御装置１００は、Ｓ１００９においてＳ７０８の処理において抽出，決定された演出図柄変動種別をＡ１〜Ａ４の４つの領域を有する始動情報記憶領域に格納された始動情報と紐付して記憶し、Ｓ１０１０に移行する。主制御装置１００は、Ｓ１０１０において、Ｓ１００９において記憶された演出図柄変動種別が変更可能変動種別であるかを判定し、ＹＥＳの場合Ｓ１０１１に移行し、ＮＯの場合処理を終了する。
続いて主制御装置１００は、Ｓ１０１１において、Ｓ１００９において記憶した演出図柄変動種別より以前に記憶した演出図柄変動種別の中に、変更対象変動種別があるかを判定し、ＹＥＳの場合Ｓ１０１２に移行し、ＮＯの場合処理を終了する。主制御装置１００は、Ｓ１０１２において変更指示コマンドを生成し、コマンド記憶領域に格納する。格納された変更指示コマンドは、変更対象変動種別と紐付けされた始動情報に基づく第１の特図当否判定処理、及び、図柄変動処理を経て生成される各種の制御コマンド（変動開始コマンド，変動パターンコマンド，図柄指定コマンド）のポート出力処理時に同時に出力される。
【００８９】
図１７（ｂ）は、始動情報（保留球）と紐付けして記憶される演出図柄変動種別を示す模式図であり、同図を用いて上記先読み処理を概説する。同図に示すように、現在パチンコ機１において演出図柄表示装置３０上の演出図柄が変動表示中であると仮定する。
そして、その変動表示中に例えば第一始動入賞部品２２に球が３つ入賞し、始動情報が順に取得されると、前述の先読み処理によって、各始動情報に紐付けされた演出図柄変動種別が記憶される。
同図に示すように、先読み処理の結果、保留１に対応する演出図柄変動種別が、「通常変動１（外れ）」であり、保留２に対応する演出図柄変動種別が、「リーチ演出２（外れ）」であり、保留３に対応する演出図柄変動種別が、「「通常変動１（外れ）」に決定（先読み）されている場合において、新たに第一始動入賞部品２２に球が１つ入賞して始動情報が取得され（保留４）、当該始動情報に対応する演出図柄変動種別が、予め変更可能変動種別として規定された「リーチ演出５（外れ）」であった場合、Ｓ１０１０における判定がＹＥＳとなる。そして、続くＳ１０１１の処理においては、Ｓ１００９において記憶した演出図柄変動種別、即ち、変更可能変動種別（「リーチ演出５（当り，外れ）」）以前に記憶した演出図柄変動種別（保留１乃至保留３）の中に、変更対象変動種別があるかを判定する。上記例においては、保留２の始動情報と対応する演出図柄変動種別が予め変更対象変動種別として規定された「リーチ演出２（外れ）」であることから、判定がＹＥＳとなり、Ｓ１０１２において変更指示コマンドが生成され、コマンド記憶領域に一時的に格納される。
そして、当該変更指示コマンドは、保留１に格納された始動情報に基づく第１の特図当否判定処理及び図柄変動処理が終了し、保留２に格納された始動情報に基づく第１の特図当否判定処理及び図柄変動処理が実行され、その実行の結果生成された制御コマンドと共に、Ｓ１０６のポート出力処理において演出制御装置２００側に送信される。
【００９０】
図１８は、上述の他の実施形態に対応する変動停止コマンド変更処理を示すフローチャートである。
同図において演出制御装置２００は、Ｓ６０１の判定がＹＥＳとなったことに基づいて変動停止コマンド変更処理を実行する。ここで、Ｓ６０１の判定がＹＥＳとなる場合とは、前述の図１７に示す先読み処理により生成された変更指示コマンドが、Ｓ１０６のポート出力処理において送信され、図９のＳ５００において当該コマンドを受信した場合である。つまり、図１７（ｂ）における保留２と対応する始動情報に基づく特図当否判定処理、及び、図柄変動処理が実行された場合である。
演出制御装置２００は、Ｓ６０１の判定がＹＥＳとなったことに基づいてＳ１１００において停止図柄情報を書き換え、処理を終了する。停止図柄情報の書き換えは、前述の実施形態と同様にＲＡＭ内のコマンド格納領域に格納された変動停止コマンドに含まれる演出図柄Ｃの指定図柄を特定の指定図柄（報知図柄）Ｚに書き換え、変動停止コマンドの内容を変更するものである。
【００９１】
即ち、本実施形態においては、変動中の演出図柄の変動停止態様を特定の図柄Ｚを含む態様で停止させる点で共通するが、特に図１７のＳ１０１０，Ｓ１０１１の処理において明らかなように、変更可能変動種別が存在することを条件として、変更対象変動種別の有無を、未だ第１の特図当否判定処理が実行されていない始動情報（乱数）に対応する演出図柄変動種別の中から判定する点で異なり、さらに変更対象変動種別が存在することを条件として、当該変更対象変動種別と対応する始動情報に基づく演出図柄の停止表示の態様を所定の演出図柄、即ち、特定の指定図柄Ｚを含む態様で停止させる点で異なる。
本実施形態によれば、Ｓ８００の処理が存在する上述の実施形態と比べて、現在変動中の演出図柄の変動時間による時間的制約がなくなるため、始動情報の消化順序に沿って変更対象変動種別、及び、変更可能変動種別が保留中内に存在する場合、変更対象変動種別に対応する始動情報に基づく演出図柄の停止表示の態様が常に特定の指定図柄Ｚを含む態様となる。つまり、特定の指定図柄Ｚが停止表示される頻度を向上させることが可能となり、遊技者に対して特定の図柄Ｚが停止したことによる後の変動表示への期待感を繰り返し、効果的に煽ることが可能となる。
なお、上述の実施形態においては、変更指示コマンドを、保留２に格納された始動情報に基づく第１の特図当否判定処理及び図柄変動処理の結果生成された制御コマンドと共に送信することにより、当該変動に限って特定の指定図柄Ｚを含む態様で停止させるものとしたが、これに限られるものではない。
変更指示コマンドを、保留２に格納された始動情報に基づく第１の特図当否判定処理及び図柄変動処理の結果生成された制御コマンドと共に送信するだけでなく、例えば図１７（ｂ）における変更対象変動種別に対応する保留２と変更可能変動種別に対応する保留４との間の保留３に格納された始動情報に基づく第１の特図当否判定処理及び図柄変動処理の結果生成された制御コマンドと共に送信することにより、特定の指定図柄Ｚを保留２，保留３と連続して停止表示させることが可能となる。このように変更指示コマンドを変更対象変動種別に対応する始動情報（図では保留２）以降の始動情報（図では保留３）に基づく第１の特図当否判定処理及び図柄変動処理の結果生成された制御コマンドと共に送信することにより、特定の始動情報に基づく変動表示において特定の指定図柄Ｚが停止表示されたことによって遊技者が抱く期待感を後続の始動情報において持続させることが可能となり、変更可能変動種別に対応する始動情報に基づく変動表示に対する期待感をより一層増大させることが可能となる。
【００９２】
以上、本発明を実施の形態に基づいて説明したが、本発明の技術的範囲は上記実施形態に何ら限定されることはなく、実施形態を組み合わせて多様な変更、改良を行い得ることが当業者において明らかである。また、そのような多様な変更、改良を加えた形態も本発明の技術的範囲に含まれ得ることが特許請求の範囲の記載から明らかである。
【符号の説明】
【００９３】
１  パチンコ機，１１  遊技盤，１１Ａ  遊技領域，２２  第一始動入賞部品，
２３  第二始動入賞部品，２６  大入賞部品，２９  一般入賞部品，
３１  特別図柄変動表示器，３２  普通図柄変動表示器，３３  特別図柄保留表示器，
３４  普通図柄保留表示器，１００  主制御装置，２００  演出制御装置。
【図１】
0005638467.tif 000002
【図２】
0005638467.tif 000003
【図３】
0005638467.tif 000004
【図４】
0005638467.tif 000005
【図５】
0005638467.tif 000006
【図６】
0005638467.tif 000007
【図７】
0005638467.tif 000008
【図８】
0005638467.tif 000009
【図９】
0005638467.tif 000010
【図１０】
0005638467.tif 000011
【図１１】
0005638467.tif 000012
【図１２】
0005638467.tif 000013
【図１３】
0005638467.tif 000014
【図１４】
0005638467.tif 000015
【図１５】
0005638467.tif 000016
【図１６】
0005638467.tif 000017
【図１７】
0005638467.tif 000018
【図１８】
0005638467.tif 000019